(57)【要約】【課題】お年よりでも容易に一升瓶等の内容物を小瓶に移す容器収納注出装置を提供する。【解決手段】  支持台（２）と、該支持台（２）に支持軸（３）で回転自在に軸支した容器収納体（１）と、該容器収納体（１）に収納された一升瓶などの容器（１０）の落下を防止する容器係止手段（７）とからなる。また、容器係止手段（７）は、該容器収納体（１）の上方に延設した取手部（６）を設け、該取手部（６）と容器受け皿（４）との間の延設棒（５）に回転自在に軸支し、容器（１０）の首部（１１）を係止できる。さらに、容器収納体（１）を傾斜させて容器（１０）内の液体を注出するに際して、傾斜動作に支障とならないように、前記容器収納注出装置を載置した収納体の前後が開放されたキャビネットである。【選択図】  図３
2007331760.tif 000002
【特許請求の範囲】
【請求項１】
支持台（２）と、該支持台（２）に支持軸（３）で回転自在に軸支した容器収納体（１）と、該容器収納体（１）に収納された一升瓶などの容器（１０）の落下を防止する容器係止手段（７）とからなる容器収納注出装置。
【請求項２】
前記容器係止手段（７）は、該容器収納体（１）の上方に延設した取手部（６）を設け、該取手部（６）と容器受け皿（４）との間の延設棒（５）に回転自在に軸支し、容器（１０）の首部（１１）を係止できることを特徴とする請求項１に記載の容器収納注出装置。
【請求項３】
前記容器収納体（１）を傾斜させて容器内の内容物を注出するに際して、傾斜動作に支障とならないように、前記容器収納注出装置を載置した収納体の前後が開放されたことを特徴とする請求項１乃至２に記載の容器収納注出装置を配置したキャビネット。
【発明の詳細な説明】
【技術分野】
【０００１】
この発明は、調味料や酒類の入った一升瓶や紙パック等の容器を収納する容器収納注出装置、及び該装置を配置したキャビネットに関し、重たい一升瓶等を抱えることなく,醤油注しや銚子に簡単に注入できる容器収納注出装置及びそれを配したキャビネットに関する。
【背景技術】
【０００２】
高齢化社会が訪れるなかで高齢で一人住いの家庭が多くなることが予想される。高齢の方には一升瓶で購入した醤油などの調味料を醤油注しに移し変える場合には一升瓶の重量も重く、手軽に移し変えが可能な装置が有益である。
そのため、灯油や水を貯蔵するポリタンク内の内容物を他の燃料タンク又は容器に移し変えるために、スタンドの中央柱杆に、上面を開放したタンク収納容器を外側に設けた支持軸により回転自在に設け、タンク収納容器を回動した時の姿勢を維持する姿勢維持手段を設けたポリタンクの注入装置が特許文献１に紹介されている。
【０００３】
また、持ち運びにも便利で、家庭で気軽に使える回転式の飲料容器スタンドも特許文献２の開示されている。
更に、特許文献３には、ペットボトル容器の引き出し式収納装置として、左右の倒れ規制部に邪魔されることがなく、収納物であるボトル容器を容易に出し入れできる引き出し式収納装置が開示されている。
【０００４】
【特許文献１】特開２００３−２６７４９５号公報
【特許文献２】実用新案登録第３１１１１８５号公報
【特許文献３】特開２００５−２２４３１１号公報
【発明の開示】
【発明が解決しようとする課題】
【０００５】
しかしながら、前述の特許文献1の発明では、ポリタンクの内容物を燃料タンクに注入する場合に、支軸の位置にもよるが、燃料が多い場合と少ない場合とでは、ポリタンクを傾斜させるのに力に差を要し、傾斜させ過ぎるとポリタンクが落下する危険がある。また、同様に特許文献２の発明でも、コンパクトで持ち運びに便利なるも、飲料容器を傾斜で落下させたり、傾斜に力を要する欠点がある。
さらに、特許文献３の発明は、飲料容器や調味料容器を頻繁に使うキッチンなどの引出し内に収納でき、容器を該引出しに出し入れする場合は有効なるも、該容器の内容物を醤油注しなどに注入する場合は、一旦、引出しから容器を出して醤油注しに注入する必要があり、一升瓶などの重たい容器の場合は出し入れに負担がかかる欠点があった。
【０００６】
この発明は、かかる現状に鑑み創案されたものであって、その目的とするところは、一升瓶などのような重たい容器から小瓶などに内容物を移しかえ注入する場合に、傾斜力が小さく、傾けすぎても容器が落下せず、簡単に注入作業ができるとともに、容器もキッチンなどの引出し内に収納したまま、注入作業が簡単に行えるお年よりなどに優しい容器収納注出装置と該装置を配置したキャビネットを提供するものである。
【課題を解決するための手段】
【０００７】
上記の目的を達成するために、請求項１記載の発明は、支持台と、該支持台に支持軸で回転自在に軸支した容器収納体と、該容器収納体に収納された一升瓶などの容器の落下を防止する容器係止手段とからなる容器収納注出装置である。
本発明によると、容器収納体にセットした一升瓶などの容器の内容物を、醤油注しなどの小瓶に移しかえ注入する際に、容器係止手段があるため、傾斜させ過ぎても容器が落下することがない。
【０００８】
更に請求項２記載の発明は、請求項１記載の発明の容器係止手段を、該容器収納体の上方に延設した取手部と、該取手部と容器受け皿との間の延設棒に回転自在に軸支した容器首部係止手段を設けたものである。
本発明によると、容器収納体の上方に延設した取手部を設けたため、内容物を小瓶に注入する際の傾動が取手部を持って行えるため傾動力が小さくてよい。
【０００９】
また、請求項３記載の発明は、前記容器収納体を傾斜させて容器内の内容物を注出するに際して、傾斜動作に支障とならないように、前記容器収納注出装置を載置した収納体の前後が開放されたキャビネットである。
本発明によると、キャビネット内に容器収納注出装置をセットでき、キャビネット内に一升瓶などの容器を収納したまま、内容物を小瓶に移しかえ注入できる。
【発明の効果】
【００１０】
この発明にかかる容器収納注出装置は、以上説明した如き内容のものなので、重い一升瓶などの容器内の内容物を、お年よりでも力を要しないで簡単に小瓶などに移しかえ注入できるとともに、注入時に容器を落下させる危険がない。また、該容器収納注入装置をセットできるキャビネットは、該注入容器と共に一升瓶などの容器をキャビネット内に仕舞うことができ、台所などの整理整頓が行いやすいという効果を有する。
【発明を実施するための最良の形態】
【００１１】
以下、図面に基づき、この発明の詳細を説明する。
図１は、本発明である容器収納注出装置の示す斜視図であり、図２は本発明に容器を収納した状態を示し、図３は容器の内容物を小瓶に注入する場合の状態を示す図である。また、図４は本発明である容器収納注出装置を引出し内にセットしたキャビネットの斜視図である。
【実施例１】
【００１２】
本発明の容器収納注出装置は、図１に示すように、アルミニウムパイプ等の管体を屈曲加工し補強桟２ｂを溶接した支持台２に、容器収納体１を支持軸３で回転自在に軸支したものである。本実施例１の支持台２は、床や机に安定的に立設できるよう補強桟２ｂを含め台枠２ａの底面は平らである。台枠２ａを構成する左右の両管体は、その延長先が屈曲し、その先は垂直に配設された起立管２ｃ部を形成し、更にその上部は約９０度折り曲げられて水平管部２ｄを構成する。起立管２ｃは、台枠２ａの前後方向ほぼ中央部に位置し、起立管２ｃ中心がほぼ支持台重心位置とすることで容器収納注出装置が安定して起立できるように設計される。水平管部２ｄは、本容器収納注出装置の持ち運びを便利にするための取手を構成している。
【００１３】
起立管２ｃには、容器収納体１の支持軸３が挿入される軸穴が設けられ、該軸穴に容器収納体１に固着形成された支持軸３が挿入される。容器収納体１は容器受け皿４と該容器受け皿４の上方に延設された延設棒５、先端部の取手部６、及び延設棒途中に回転自在に設けられた容器係止手段７で構成される。容器受け皿４は、軽量鋼板を折り曲げ溶接して形成され、上部開口形状は円形の一升瓶や角形ペットボトル、角形紙容器１０などを収納するために正方形状としている。支持軸３は容器受け皿４の上端部に一対設けられる。この上端部は、容器収納体１に一升瓶などの容器１０を収納した時の容器収納体自体を含めた重心が支持軸３の下方となるように設計される。
【００１４】
延設棒５及び取手部６は、鋼管又は棒鋼等を折り曲げ成形して両端を容器収納体１の上部に溶接固着して形成される。両延設棒５の内側には容器係止手段７を回転自在に支軸するための小さな軸穴が設けられる。容器係止手段７は図に示すように棒鋼をコの字状に折り曲げ、両端を前記軸穴に挿入することで回転可能に構成される。この容器係止手段７は、図２又は図３に示すように、容器１０の首部１１に係止する部分であり、容器収納体１に収納する容器１０の形状と首部１１の高さを考慮して設計される。そのため、図示はしていないが、延設棒５への軸穴は縦長形状として、容器係止手段７を上下動可能し、任意の高さにセットできる構造とすることが好ましい。
【実施例２】
【００１５】
次に図４を用いて、本発明である容器収納注出装置を配置したキャビネット２３について、説明する。
本実施例２は、流し台２０に配置された引出しキャビネット２３を実施例で示している。流し台２０は、図示していない加熱調理機や流し２１が天板上に配置され、天板下部には台所用品を収納する開き戸、引出しなどが配置されている。本実施例２のキャビネット２３は、縦長形状の引出しキャビネット２３であり、前板２４と底板２５と、この前板２４及び底板２５を棒材で結合形成した構成で、下部には流し台２０から出し入れするためのレール２７が設けられる。引出しキャビネット２３は、上部が台所小物用品を収納する網籠収納部２３ａで、下部が一升瓶やペットポトルなどの縦長の容器を収納するボトル収納部２３ｂとなっている。
【００１６】
ボトル収納部２３ｂは、図１乃至図３の容器収納注出装置自体が載置できるよう設計されている。底板２５の４隅に棒材が立ち上がり、前後の棒材間は側部枠体２６で補強されている。側部枠体２６は紙面に向かって左側は前後の棒材間の上部を固着補強し、右側は底板近傍の下部を固着補強している。これは図４に示すように、ボトル収納部２３ｂに載置収納した容器収納注出装置内の容器１０内の内容物を他の小瓶１２などの小瓶１２に移しかえる場合に、容器収納体１を回転傾斜させた場合に、傾斜動作に支障とならないように、容器収納注出装置を載置した収納体の前後が開放された状態となることを意味する。
【００１７】
以上、本発明の実施例を説明してきたが、具体的な構成はこれら実施例に限られるものではなく、例えば、本実施例１では、支持台２をアルミニウムパイプ等の管体で示し、且つ容器受け皿４は軽量鋼板を使用したが、取手部６の棒鋼を含め、強化プラスチックなどで成形しても良い。
【００１８】
また、実施例２では、引出しキャビネット２３で例示したが、本発明はキャビネット２３内に容器収納注出装置が収納できて、収納状態のままで、容器１０内の内容物を傾斜抽出できればよく、開き戸内に回転配置される収納体キャビネットでもよい。
【図面の簡単な説明】
【００１９】
【図１】本発明である容器収納注出装置の斜視図である。
【図２】本発明に容器を収納した斜視図である。
【図３】本発明を用いて容器の内容物を注入容器に注入する斜視図である。
【図４】本発明である容器収納注出装置を引出し内にセットしたキャビネットの斜視図である。
【符号の説明】
【００２０】
１  容器収納体
２  支持台
２ａ  台枠
２ｂ  補強桟
２ｃ  起立管
２ｄ  水平管部
３  支持軸
４  容器受け皿
５  延設棒
６  取手部
７  容器係止手段
１０  容器
１１  首部
１２  注入容器（小瓶）
２０  流し台
２１  流し
２２  開き戸取手
２３  引出し（キャビネット）
２３ａ  網籠収納部
２３ｂ  ボトル収納部
２４  前板
２５  底板
２６  側部枠体
２７  レール
【図１】
2007331760.tif 000003
【図２】
2007331760.tif 000004
【図３】
2007331760.tif 000005
【図４】
2007331760.tif 000006